(57)【特許請求の範囲】
【請求項１】
アンテナ部に後端が固定され、その先端から所定間隙を介した位置に凸部を有し、前記凸部付近から先端方向に向かい下方に傾斜する曲げ部からなるバネ性を有する略く字状のアンテナ接続端子と、
前記アンテナ接続端子上に重なり、前記アンテナ接続端子の前記凸部に設けられた接触点と接触して前記アンテナ接続端子と電気的に接続される回路基板と、
前記アンテナ接続端子と平行してアンテナ接続端子下のケース内面に形成され、前記アンテナ接続端子下面に所定間隙を介して対向する突起とを具備し、
衝撃が加わった場合に前記アンテナ接続端子が撓み、前記アンテナ接続端子の曲げ部が一番先に前記ケース内面の突起に当たり前記凸部に設けられた接触点への衝撃を和らげることを特徴とする移動体通信機。
【請求項２】
前記アンテナ接続端子下のケース内面に形成された前記突起は、前記アンテナ接続端子の長さ方向に沿って設けられていることを特徴とする請求項１に記載の移動体通信機。
【発明の詳細な説明】
【０００１】
【発明の属する技術分野】
本発明は、ＰＨＳ（パーソナルハンディフォンシステム）電話機や携帯電話機などの移動体通信機に係り、特にアンテナ接続端子の接触不良防止構造に関する。
【０００２】
【従来の技術】
ＰＨＳ電話機や携帯電話機などの移動体通信機は、無線で通信を行うものであるからアンテナを備え、このアンテナに回路基板上の電子回路が電気的に接続される。その場合、従来は、アンテナ部に後端が固定されたバネ性を有するアンテナ接続端子を設け、このアンテナ接続端子のバネ性を利用して、該アンテナ接続端子の先端部を回路基板の所定回路部に接触させることにより、該所定回路部とアンテナとの電気的接続を実現している。
【０００３】
図４は、従来の上記接続部構造を具体的に示す斜視図であり、図５は同接続部構造の断面図である。これらの図において、１１は移動体通信機のケース、特に裏ケースであり、この裏ケース１１内の上端部に筒状のアンテナホルダ１２が保持され、アンテナ１３はこのアンテナホルダ１２に保持されてケース１１に対して出し入れ自在に設けられる。アンテナホルダ１２にはアンテナ接続端子１４の後端部が固定される。このアンテナ接続端子１４は金属バネ片からなりバネ性を有し、後端部はアンテナホルダ１２に保持されたアンテナ１３に静電結合され、先端側はアンテナホルダ１２の側方に延在する。アンテナ接続端子１４の先端部には、後述する回路基板との接触を良くするために点状の凸部１５が形成される。１６は電子回路を形成した回路基板で、ケース１１内に収納され、所定部分はアンテナ接続端子１４の先端部上に重なる。これにより、アンテナ接続端子１４の先端部が該アンテナ接続端子１４のバネ性により回路基板１６下面の所定回路部に接触し、該所定回路部がアンテナ接続端子１４を介してアンテナ１３に電気的に接続される。
【０００４】
また、裏ケース１１のうち、回路基板１６およびアンテナ接続端子１４の下方に位置する部分の内面所定個所には、突起１７が所定高さで形成され、この突起１７の先端がアンテナ接続端子１４の先端部下面に所定間隙を介して対向する。したがって、例え強い衝撃が加わって、回路基板１６とアンテナ接続端子１４が−Ｚ軸方向に撓んでもアンテナ接続端子１４がバネ性を失わないような構造であった。
【０００５】
【発明が解決しようとする課題】
しかしながら、従来の構造では、特に図５より明らかであるように、落下等の衝撃で回路基板１６が撓んだとき、アンテナ接続端子１４は、回路基板１６と突起１７に挟まれるが、その際アンテナ接続端子１４の凸部１５に力が集中し、損傷して接触不良が発生する可能性があった。
また、凸部１５の強度が充分だったとしても、今度は逆に回路基板１６側に突起１７によって凹みができてしまい、結果的に接触不良が発生する可能性があった。
本発明は上記の点に鑑みなされたもので、その目的は、アンテナ接続端子の突起部と回路基板との損傷を防止し、アンテナ接続端子と回路基板とを良好に接触させることができる移動体通信機を提供することにある。
【０００６】
【課題を解決するための手段】
本発明は上述の課題を解決し上記目的を達成するために、アンテナ部に後端が固定され、その先端から所定間隙を介した位置に凸部を有し、凸部付近から先端方向に向かい下方に傾斜する曲げ部からなるバネ性を有する略く字状のアンテナ接続端子と、アンテナ接続端子上に重なり、アンテナ接続端子の凸部に設けられた接触点と接触してアンテナ接続端子と電気的に接続される回路基板と、アンテナ接続端子と平行してアンテナ接続端子下のケース内面に形成され、アンテナ接続端子下面に所定間隙を介して対向する突起とを具備し、衝撃が加わった場合にアンテナ接続端子が撓み、アンテナ接続端子の曲げ部が一番先にケース内面の突起に当たり前記凸部に設けられた接触点への衝撃を和らげることを特徴とする移動体通信機を提供する。
さらに、本発明による移動体通信機のアンテナ接続端子下のケース内面に形成された突起は、アンテナ接続端子の長さ方向に沿って設けられていることを特徴とする。
【０００７】
【発明の実施の形態】
次に添付図面を参照して本発明による移動体通信機の実施の形態を詳細に説明する。図１は本発明の実施形態を示す斜視図であり、図２は同実施形態の断面図である。また、図３は本発明の実施形態を示す分解斜視図である。
【０００８】
図１及び図２（ａ）において、２１は移動体通信機のケース、特に裏ケースであり、この裏ケース２１内の上端部に筒状のアンテナホルダ２２が保持され、アンテナ２３はこのアンテナホルダ２２に保持されてケース２１に対して出し入れ自在に設けられる。アンテナホルダ２２にはアンテナ接続端子２４の後端部が固定される。このアンテナ接続端子２４は金属バネ片からなりバネ性を有し、後端部はアンテナホルダ２２に保持されたアンテナ２３に静電結合で電気的に接続される。アンテナ接続端子２４の先端側はアンテナホルダ２２の側方に延在し、その先端部から所定間隙を介した位置には、後述する回路基板との接触を良くするために点状の凸部２５が形成される。２６は電子回路を形成した回路基板で、メイン回路基板、高周波モジュール等で構成されている。回路基板２６の所定部分はアンテナ接続端子２４の先端部上に重なる。これにより、回路基板２６下面の所定回路部にアンテナ接続端子２４のバネ性により該アンテナ接続端子２４の先端部が接触し、回路基板２６下面の所定回路部がアンテナ接続端子２４を介してアンテナ２３に電気的に接続される。
また、裏ケース２１のうち、回路基板２６およびアンテナ接続端子２４の下方に位置する部分の内面所定個所には、突起２７が所定高さで形成され、この突起２７の先端がアンテナ接続端子２４の先端部下面に所定間隙を介して対向する。さらに、アンテナ接続端子２４の凸部２５から先端方向に向かい下方に傾斜している曲げ部分２８がある。曲げ部分２８を設けた理由を、図２（ｂ）を用いて説明する。
【０００９】
図２（ｂ）に示したように、本体の落下等により強い衝撃が加わった場合、アンテナ接続端子２４自体が撓むことで、曲げ部分２８が、一番先に裏ケース２１上の突起２７に先に当たる。結果として、アンテナ接続端子２４の凸部２５が、裏ケース２１上の突起２７に当たるときの衝撃を和らげることができる。そしてこの構造によると、アンテナ接続端子２４の凸部２５、及び回路基板２６の変形が防止され、アンテナ接続端子２４がバネ性を失わないので、アンテナ接続端子２４の先端を常に良好に回路基板２６下面の所定回路部に接触させることができる。
【００１０】
図３は本発明の実施形態を示す分解斜視図である。図３において、３１は表ケース、２１は裏ケースであり、これら一対のケース３１，２１で通信機のケースが構成される。このケースのうち、裏ケース２１の上端一角部には、ホイップタイプの伸縮アンテナ２３が挿通されるアンテナ出入口としての筒部３４が設けられる。アンテナ２３は、図３に２点鎖線で示すようにケース３１，２１の上方で伸縮自在となっている。
【００１１】
アンテナ接続端子２４の先端部には、後述するマッチング回路の導体パターンとの接触を良好にするために凸部２５が点状に形成される。さらに、このアンテナ接続端子２４の先端部下部において、裏ケース２１の内面には突起２７が突出形成される。この突起２７は先端（上端）がアンテナ接続端子２４の下面と所定間隙を介して対向する。この突起２７は、アンテナ接続端子２４の下方向への必要以上の撓みを防止することによりアンテナ接続端子２４の変形を防止し、アンテナ接続端子２４がバネ性を失わないようにすることにより、アンテナ接続端子２４と後述するマッチング回路の導体パターンとの接触を常に良好とする。
【００１２】
また、ケース３１，２１内にはメイン回路基板４３が収容される。このメイン回路基板４３の下面には高周波モジュール４４が取り付けられる。この高周波モジュール４４は、高周波回路基板４５に高周波回路部４６とマッチング回路４７を形成して構成されており、高周波回路部４６はシールドケース４８，４９で覆われる。マッチング回路４７は、高周波回路基板４５の下面に折り曲げ形状に導体パターン５０を形成して構成されており、先端は面積の広い端子部５０ａとなっている。通常、高周波回路基板４５面は図示しない絶縁保護膜で覆われているが、マッチング回路４７の導体パターン５０の先端端子部５０ａは絶縁保護膜が除去され導体が露出している。
【００１３】
このような高周波モジュール４４はメイン回路基板４３と共にケース３１，２１内に収容される。すると、高周波モジュール４４の高周波回路基板４５の下面に形成されたマッチング回路４７としての導体パターン５０の先端端子部５０ａは、裏ケース２１の筒部３４内に嵌合された絶縁筒体に保持されたアンテナ接続端子２４の先端に重なり該先端が接触する。その結果、高周波モジュール４４上の高周波回路部４６は、マッチング回路４７（導体パターン５０）、絶縁筒体に保持されたアンテナ接続端子２４を介して絶縁筒体内を挿通するアンテナ２３に電気的に接続される。
【００１４】
以上のアンテナ接続端子２４の先端部下方において裏ケース２１の内面には突起２７が突出形成される。さらに、突起２７はアンテナ接続端子２４の長さ方向に沿って設置されている。したがって、例え強い衝撃が加わったとしても、高周波回路基板４５およびアンテナ接続端子２４の撓みは突起２７で少ない状態に抑えられる。
また、アンテナ接続端子２４は、その凸部２５付近からアンテナ接続端子２４の先端にかけて下方に傾斜している。この曲げ部分２８が一番先に裏ケース２１上の突起２７に当たることにより、凸部２５への衝撃力を和らげることができる。結果として、アンテナ接続端子の凸部２５と回路基板２６との損傷を防止し、アンテナ接続端子２４と回路基板２６とを良好に接触させることができる
以上、本発明の実施の形態について詳述した。この実施の形態では、アンテナ接続端子がアンテナに静電結合されるが、アンテナに直接結合されてもよい。また、上記実施の形態として移動体電話機を具体例に用いたが、アンテナ接続端子にバネ性を有し、ケース内面に突起部を設けることが可能であれば、趣味用あるいは業務用の小型無線機あるいは類似の通信機などにも適用できる。
【００１５】
【発明の効果】
以上詳細に説明したように本発明によれば、アンテナ接続端子の突起部と回路基板との損傷を防止し、アンテナ接続端子と回路基板とを良好に接触させることができる移動体通信機を提供することが可能である。
【図面の簡単な説明】
【図１】本発明による移動体通信機の実施形態を示す斜視図。
【図２】上記第１の実施形態の断面図。
【図３】本発明による移動体通信機を示す分解斜視図。
【図４】従来の構造を示す斜視図。。
【図５】上記従来の構造の断面図。
【符号の説明】
２１  裏ケース
２３  アンテナ
２４  アンテナ接続端子
２６  回路基板
２７  突起
【図１】
0003661080.tif 000002
【図２】
0003661080.tif 000003
【図３】
0003661080.tif 000004
【図４】
0003661080.tif 000005
【図５】
0003661080.tif 000006